(57)【特許請求の範囲】
【請求項１】
コンテンツを表示する表示部および入出力部を備えて移動体に搭載された表示媒体装置および、前記コンテンツを格納する記憶装置を備えたコンテンツ配信サーバを用いたコンテンツ表示制御方法であって、
前記コンテンツ配信サーバは、
前記記憶装置に、前記移動体が停止する停止駅毎の前記移動体が停止する時間情報を示す移動スケジュール情報を格納しており、
前記表示媒体装置が前記コンテンツ配信サーバに、コンテンツを要求するタイミングを示す再スケジュール時間を前記記憶装置における前記移動スケジュール情報に基づいて算出し、
算出された前記再スケジュール時間を前記記憶装置に格納し、
前記表示媒体装置から、コンテンツの送信を要求するコンテンツ送信要求を受信した場合に、前記再スケジュール時間および前記コンテンツを、前記表示媒体装置に送信し、
前記表示媒体装置は、
受信した前記コンテンツを前記表示部に表示し、
少なくとも、再スケジュール時間で定められた時間の到来時に前記入出力部に電源を供給し、コンテンツの送信を要求するコンテンツ送信要求を、前記入出力部から前記コンテンツ配信サーバへ送信することを特徴とするコンテンツ表示制御方法。
【請求項２】
請求項１に記載のコンテンツ表示制御方法において、
前記コンテンツ配信サーバにおける前記再スケジュール時間の算出は、
前記移動スケジュール情報から、前記移動体の停止する停止駅の停止時間を抽出し、前記停止時間を再スケジュール時間とすることを特徴とするコンテンツ表示方法。
【請求項３】
請求項１に記載のコンテンツ表示制御方法であって、
前記コンテンツ配信サーバは、コンテンツ/スケジュール登録システムと接続されており、
前記コンテンツ/スケジュール登録システムから、前記移動スケジュール情報が含む停止駅の情報に基づく停止駅の指定を受け付け、
前記再スケジュール時間の算出は、指定を受け付けた前記停止駅の停止時間を前記移動スケジュール情報から抽出し、抽出された前記停止時間を、再スケジュール時間とすることを特徴とするコンテンツ表示制御方法。
【請求項４】
請求項１に記載のコンテンツ表示制御方法において、
前記コンテンツ配信サーバにおける前記再スケジュール時間の算出は、
前記移動スケジュール情報から、前記移動体の移動が終了する時間を抽出し、抽出された前記移動終了時間を、再スケジュール時間とすることを特徴とするコンテンツ表示制御方法。
【請求項５】
請求項１に記載のコンテンツ表示制御方法において、
前記コンテンツ配信サーバは、コンテンツ／スケジュール登録システムと接続されており、
前記コンテンツ／スケジュール登録システムから、複数のコンテンツおよび当該コンテンツ毎の表示間隔を示す表示間隔情報を受信し、
前記表示間隔情報に基づいて、前記表示媒体装置の表示部に表示させるコンテンツの順序を決定し、
前記記憶装置に、前記表示間隔情報および前記順序を、当該コンテンツに対応付けて配信スケジュール明細情報として格納し、
前記表示媒体装置から前記コンテンツ送信要求を受信した場合に、さらに、前記コンテンツに対応する前記表示間隔情報および前記順序を送信することを特徴とするコンテンツ表示制御方法。
【請求項６】
請求項５に記載のコンテンツ表示制御方法において、
前記コンテンツ配信サーバは、
前記移動体の移動する区間と時間を対応付けたデータベースを前記記憶装置に格納し、
前記表示間隔情報は、前記データベースに含まれる区間に基づいた区間情報であり、
前記配信スケジュール明細情報の前記表示間隔は、前記データベースにおいて前記区間情報から定まる区間に対応した時間情報であることを特徴とするコンテンツ表示方法。
【請求項７】
請求項５に記載のコンテンツ表示制御方法であって、
前記表示間隔は、前記コンテンツを表示する時間帯を含む情報であることを特徴とするコンテンツ表示制御方法。
【請求項８】
請求項７に記載のコンテンツ表示制御方法であって、
前記コンテンツ配信サーバは、
受信した複数の前記表示間隔の時間帯を合算した合計時間を算出し、
前記合計時間と、前記再スケジュール時間を比較し、
前記再スケジュール時間が大きい場合には、前記配信スケジュール明細情報において、予め定められたコンテンツの表示スケジュールを挿入することを特徴とするコンテンツ表示制御方法。
【請求項９】
コンテンツを表示する表示部および入出力部を備えて移動体に搭載され、少なくとも、再スケジュール時間で定められた時間の到来時に前記入出力部に電源を供給し、前記入出力部から、コンテンツ送信要求情報を送信してくる表示媒体装置に接続され、前記表示媒体装置が搭載された移動体の情報および前記コンテンツを格納する記憶装置を備えたコンテンツ配信サーバであって、
前記記憶装置に前記移動体が停止する停止駅毎の前記移動体が停止する時間情報を示す移動スケジュール情報を格納しており、
コンテンツ送信要求を前記表示媒体装置から送信させる時刻を定めた、再スケジュール時間の算出を、前記記憶装置における前記移動スケジュール情報に基づいて行う再スケジュール情報取得部と、
算出された前記再スケジュール時間を前記記憶装置に格納する格納手段と、
前記表示媒体装置から、前記コンテンツ送信要求を受信する受信手段と、
前記コンテンツ送信要求を受信した場合に、前記再スケジュール時間および前記コンテンツを、前記表示媒体装置に送信する送信手段と、
を具備することを特徴とするコンテンツ配信サーバ。
【請求項１０】
請求項９に記載のコンテンツ配信サーバにおいて、
前記再スケジュール情報取得部における前記再スケジュール時間の算出は、前記移動スケジュール情報から、前記移動体の停止する停止駅の停止時間を抽出し、前記停止時間を、再スケジュール時間とすることを特徴とするコンテンツ配信サーバ。
【請求項１１】
請求項９に記載のコンテンツ配信サーバであって、
コンテンツ/スケジュール登録システムと接続されており、
さらに、前記コンテンツ/スケジュール登録システムから、前記移動スケジュール情報が含む停止駅の情報に基づく停止駅の指定を受け付ける指示受付部を具備し、
前記再スケジュール情報取得部における前記再スケジュール時間の算出は、指定を受け付けた前記停止駅の停止時間を前記移動スケジュール情報から抽出し、抽出された前記停止時間を、再スケジュール時間とすることを特徴とするコンテンツ配信サーバ。
【請求項１２】
請求項９に記載のコンテンツ配信サーバにおいて、
前記再スケジュール情報取得部における前記再スケジュール時間の算出は、
前記移動スケジュール情報から、前記移動体の移動が終了する時間を抽出し、抽出された前記移動終了時間を、再スケジュール時間とすることを特徴とするコンテンツ配信サーバ。
【請求項１３】
請求項９に記載のコンテンツ配信サーバにおいて、
コンテンツ／スケジュール登録システムと接続されており、
さらに、前記表示媒体装置の表示部に表示するコンテンツ毎の表示間隔を示す表示間隔情報に基づいて、前記表示媒体装置の表示部に表示させるコンテンツの順序を決定するコンテンツ設定部を具備し、
前記受信手段は、さらに、複数のコンテンツおよび当該コンテンツ毎の前記表示間隔情報を、配信スケジュール明細情報として前記コンテンツ／スケジュール登録システムから受信し、
前記格納手段は、さらに、前記表示間隔情報および前記順序を、当該コンテンツに対応付けて前記記憶装置に格納し、
前記送信手段は、前記表示媒体装置から前記コンテンツ送信要求を受信した場合に、さらに、前記コンテンツに対応する前記表示間隔情報および前記順序を送信することを特徴とするコンテンツ配信サーバ。
【請求項１４】
請求項１３に記載のコンテンツ配信サーバにおいて、
前記移動体の移動する区間と時間を対応付けたデータベースを前記記憶装置に格納しており、
前記表示間隔情報は、前記データベースに含まれる区間に基づいた区間情報であり、
前記配信スケジュール明細情報の前記表示間隔は、前記データベースにおいて前記区間情報から定まる区間に対応した時間情報であることを特徴とするコンテンツ配信サーバ。
【請求項１５】
請求項１３に記載のコンテンツ配信サーバであって、
前記表示間隔は、前記コンテンツを表示する時間帯を含む情報であることを特徴とするコンテンツ配信サーバ。
【請求項１６】
請求項１５に記載のコンテンツ配信サーバであって、
前記コンテンツ設定部は、さらに、受信した複数の前記表示間隔の時間帯を合算した合計時間を算出し、前記合計時間と、前記再スケジュール時間を比較し、前記再スケジュール時間が大きい場合には、前記配信スケジュール明細情報において、予め定められたコンテンツの表示スケジュールを挿入することを特徴とするコンテンツ配信サーバ。
【発明の詳細な説明】
【技術分野】
【０００１】
本発明は、コンテンツ配信システム、コンテンツ配信方法、コンテンツ配信サーバ、電子ペーパに関する。具体的には、鉄道車両やバスなど、ダイヤ情報に基づき移動する車両体に配置される電子ペーパに対して配信するコンテンツのスケジューリング方法に関わり、特に、表示区間が登録されたコンテンツをダイヤ情報をもとに車両体搭載の電子ペーパごとに配信する、配信スケジュールを作成可能とする技術に関するものである。
【背景技術】
【０００２】
車両に広告情報を表示させる技術として、例えば特許文献１がある。特許文献１では、広告制作会社(サーバ)から広告情報を配信し、その広告情報を広告情報源装置で蓄積すると共に移動可能な車両にその広告情報を送信する一方、車両側システムで当該車両の移動している地域に対する広告情報を乗客に表示している。
【０００３】
現在、車両体における広告媒体としては、紙面での広告掲示が主流である。しかしながら、紙面広告の場合は、掲示期間経過後に人手で紙面の張替えを行う必要があり、この貼り替え作業が煩雑で手間やコストがかかるという問題があった。そこで、広告制作会社から配信する広告情報を、車両に配置した電子チラシ等へ表示させる技術などが知られている。この技術は、例えば、通勤・通学者、その他の乗客に対して各地域の折込みチラシに代表される広告情報を効果的に提示して広告効果を飛躍的に改善できる車内広告システムを提供するとの課題の下、 ネットワークを介して広告情報を配信する広告情報サーバと、前記広告情報を蓄積する一方、移動可能な車両に前記広告情報を送信する広告情報源装置と、前記車両に搭載され当該車両の移動している地域に対応する広告情報を当該車両の乗客に表示する車両側装置と、を具備することを特徴とする車内広告システム（特許文献１）などとして提案されている。
【特許文献１】特開２００２−２５１１５９号公報
【発明の開示】
【発明が解決しようとする課題】
【０００４】
車両内の広告媒体、案内表示媒体として、上述した紙面の他、最近ではＬＥＤ表示装置、モニタディスプレイなどが使用されている。こうした媒体を介して掲示されるコンテンツは、広告主などからの指示（表示期間、走行区間、時間帯）に応じて、入替作業が行われている。しかしながら、媒体が紙面である場合は、前記指示に応じて人手での貼り替え作業を行う必要があり、コンテンツの表示期間、表示区間、表示時間帯、車両などの複雑な条件にあわせてきめ細かく広告内容を変更することが困難であった。また、特許文献１では、表示媒体として液晶ディスプレイを使用しているが、液晶ディスプレイやＬＥＤ表示装置、モニタディスプレイなどの媒体を使用した場合は、こうした媒体自体に電力供給が必要となるため、車両内の電源からの配線や設置位置などを考慮しなければならないという問題があった。
【０００５】
また掲示された個々の表示は、同一の内容であり、紙広告のように掲示ごとに内容が異なるものではなく、静止画広告の掲示を用いて、時間要素を考慮せずに多種の広告を提供するということができない。
【０００６】
省電力で紙のように薄い表示媒体である電子ペーパを、液晶ディスプレイの変わりとすれば、電源の配線、設置位置等を考慮しなくてもよいが、以下の問題点がある。
【０００７】
電子ペーパは、コンテンツ配信するサーバに対して、電子ペーパから情報を取りに行くPULL型の情報制御である。PULL型の情報制御である理由は、省エネのため、通常は電子ペーパがコンテンツを表示するために必要な部分に対してのみ電力を供給しており、通信部等は電力を落としている状態で、PULLのタイミングに、情報を取りに行くために通信部等に電源が入る構成だからである。  
そのため、コンテンツ配信サーバ側からPUSH型で情報を送信しても、電子ペーパの通信舞踏に動作可能なまでに電力が要求されているとは限らず、公知例のように、PUSH型のコンテンツ配信方法をそのまま応用することはできない。PUSH型の情報制御に合わせて、コンテンツ配信サーバにて電子ペーパでコンテンツを表示させる情報を生成する必要がある。
【０００８】
また、他の課題として車両に広告を表示させるにあたり、一律に同じ内容を全路線で表示させることは、地区に合った広告、更には時間帯に合わせた広告というように、宣伝効果を高める提示を行うことが必要である。  
従って、本発明の目的は、省電力制御が行われている電子ペーパを制御し、コンテンツの表示を行うにコンテンツを配信し、電子ペーパの表示を制御するコンテンツ表示制御方法およびコンテンツ配信システムを提供することにある。
【０００９】
本発明の他の目的は、移動体の走行区間、時間帯、車両属性などに応じた、コンテンツ表示内容の効率的で低コストな切替処理を可能とする、コンテンツ配信システム、コンテンツ配信方法、コンテンツ配信サーバ、電子ペーパを提供することにある。
【課題を解決するための手段】
【００１０】
本発明の目的は以下のような実施態様によって達成される。
【００１１】
一つの実施態様は、コンテンツ配信サーバから、電子ペーパの送信要求時間を示す再スケジュール時間とコンテンツを、電子ペーパからの送信要求があった場合に電子ペーパへ送信する方法およびシステムである。  
この実施態様により、電子ペーパに対して、コンテンツと共に、移動体に合ったPULLするタイミング設定することができる。
【００１２】
二つ目の実施態様は、移動体に搭載された電子ペーパに対して、移動体特有のPULLするタイミング設定として、例えば時刻表などの移動体の移動スケジュールに基づいて、再スケジュール時間を設定する方法およびシステムである。  
なお、移動体は、鉄道を例としているが、他の移動体、例えばバスや飛行機であってもよいものとする。
【００１３】
三つ目の実施態様は、移動スケジュールにおける移動体の停止する駅や、駅の指定に基づいて、再スケジュール時間を設定する方法およびシステムである。  
四つ目の実施態様は、移動スケジュールにおける移動体の終点すなわち移動体が車庫に入る時間に再スケジュール時間を設定する方法およびシステムである。
【００１４】
二つ目〜四つ目の実施態様により、電子ペーパに対して、移動スケジュールに基づいて表示するコンテンツの制御を行える。例えば、移動体の停止する駅の時間に再スケジュール時間を設定すれば、駅に設置されたシステムから新しいコンテンツを電子ペーパに提供できる。車庫に入る時間に再スケジュールを設定すれば、車庫においてコンテンツの設定を行える。
【００１５】
五つ目の実施態様は、複数のコンテンツおよびその表示間隔を定める方法およびシステムである。  
この実施態様により、再スケジュール時間までの電子ペーパに表示するコンテンツの表示制御を行える。表示間隔を区間の指定で受け付けたならば、例えば、長い路線である電車において、表示区間を設定することにより、乗車している区間に沿ったコンテンツを提供できる。また、表示間隔を時間の指定で受け付けたならば、午前中にはニュースの情報、夜にはレストラン情報など、時間帯に合わせ、コンテンツの表示制御を行える。
【００１６】
本発明の目的は、さらに発明の最良の形態の欄に開示する他の態様によっても達成されることが明らかである。上記課題を解決する本発明のコンテンツ配信システムは、移動経路に沿った移動体の移動予定時刻の情報を格納した移動予定データベースと、移動体の属性情報と当該移動体に設置される電子ペーパの属性情報とを対応付けて格納した移動体データベースと、電子ペーパで表示されるコンテンツを格納したコンテンツデータベースと、移動体に設置される電子ペーパの属性情報と、電子ペーパ表示用のコンテンツの属性情報と、前記移動体の移動区間に対応した前記コンテンツの表示区間の情報とを含むスケジュール指示情報を入力インターフェイスより受け付けて、これをコンテンツスケジュール情報データベースに格納する、指示受付部と、前記スケジュール指示情報をコンテンツスケジュール情報データベースより読み出して、当該スケジュール指示情報が含む電子ペーパの属性情報に基づく前記移動体データベースにおける移動体の特定処理を実行し、ここで特定した移動体の属性情報を作業用記憶装置に格納する、移動体特定部と、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動予定時刻の抽出処理を実行し、当該抽出処理により抽出された前記表示区間に対応する移動予定時刻の情報を作業用記憶装置に格納する、移動予定特定部と、前記作業用記憶装置から、前記表示区間に対応する移動予定時刻の情報を読み出して、移動予定時刻の差分を算定し、これをコンテンツの表示間隔として、前記表示区間と対応付けて配信スケジュールデータベースに格納する、間隔算定部と、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動区間の抽出処理を実行し、当該抽出処理により抽出された前記表示区間に対応する移動区間の情報を作業用記憶装置に格納する、移動区間特定部と、前記作業用記憶装置から前記移動区間の情報を読み出して、前記スケジュール指示情報にて指定されたコンテンツの属性情報と対応付けて配信コンテンツデータベースに格納する、コンテンツ設定部と、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信する配信処理部と、を備えるコンテンツ配信サーバと、日時の到来を算定するクロック機能部と、無線ネットワークにアクセスして、コンテンツ配信を行うコンテンツ配信サーバとのデータ通信処理を行う無線通信部と、表示用のコンテンツを格納するコンテンツ記憶部と、前記コンテンツの表示スケジュールを格納するスケジュール記憶部と、所定日時の到来を前記クロック機能部にて検知し、前記無線通信部を介してアクセスした前記コンテンツ配信サーバに対し、表示用のコンテンツと当該表示用コンテンツの表示スケジュール情報の要求を行い、当該要求に応じてコンテンツ配信サーバから取得したコンテンツを前記コンテンツ記憶部に、前記表示スケジュール情報を前記スケジュール記憶部に、それぞれ格納する、データ取得部と、前記スケジュール記憶部の表示スケジュールと前記クロック機能部での到来日時の情報とに従って、コンテンツ記憶部からの該当コンテンツの読み出し処理と、前記読み出し処理したコンテンツの前記表示スケジュールに沿った表示パネルでの出力切替処理とを実行する表示処理部と、を備えて移動体に設置される電子ペーパと、を含む。
【００１７】
また、本発明のコンテンツ配信システムは、移動体の属性情報と当該移動体に設置される電子ペーパの属性情報とを対応付けて格納した移動体データベースと、電子ペーパで表示されるコンテンツを格納したコンテンツデータベースと、移動体に設置される電子ペーパの属性情報と、電子ペーパ表示用のコンテンツの属性情報と、前記電子ペーパにおけるコンテンツの表示時間帯の情報とを含むスケジュール指示情報を入力インターフェイスより受け付けて、これをコンテンツスケジュール情報データベースに格納する、指示受付部と、前記スケジュール指示情報をコンテンツスケジュール情報データベースより読み出して、当該スケジュール指示情報が含む表示時間帯の情報に基づいて、各時間帯の表示時間を算定し、これをコンテンツの表示間隔として前記表示時間帯と対応付けて配信スケジュールデータベースに格納する、間隔算定部と、前記スケジュール指示情報にて指定されたコンテンツの属性情報と前記表示時間帯の情報とを対応付けて配信コンテンツデータベースに格納する、コンテンツ設定部と、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信する配信処理部と、を備えるコンテンツ配信サーバと、日時の到来を算定するクロック機能部と、無線ネットワークにアクセスして、コンテンツ配信を行うコンテンツ配信サーバとのデータ通信処理を行う無線通信部と、表示用のコンテンツを格納するコンテンツ記憶部と、前記コンテンツの表示スケジュールを格納するスケジュール記憶部と、所定日時の到来を前記クロック機能部にて検知し、前記無線通信部を介してアクセスした前記コンテンツ配信サーバに対し、表示用のコンテンツと当該表示用コンテンツの表示スケジュール情報の要求を行い、当該要求に応じてコンテンツ配信サーバから取得したコンテンツを前記コンテンツ記憶部に、前記表示スケジュール情報を前記スケジュール記憶部に、それぞれ格納する、データ取得部と、前記スケジュール記憶部の表示スケジュール情報と前記クロック機能部での到来日時の情報とに従って、コンテンツ記憶部からの該当コンテンツの読み出し処理と、前記読み出し処理したコンテンツの前記表示スケジュールに沿った表示パネルでの出力切替処理とを実行する表示処理部と、を備えて移動体に設置される電子ペーパと、を含む。
【００１８】
また、前記コンテンツ配信システムにおいて、前記コンテンツ配信サーバが、電子ペーパからコンテンツ配信サーバへの再アクセス時期の情報を入力インターフェイスより受け付けて、これを、前記配信スケジュールデータベースにおいて該当電子ペーパに対応付けて格納する、再スケジュール情報取得部を備えるものであるとすれば好適である。またこの場合、前記電子ペーパが、コンテンツ配信サーバより取得した表示スケジュール情報に含まれる前記再アクセス時期の情報に基づき、前記クロック機能部にて前記再アクセス時期の到来を検知し、前記データ取得部に対してコンテンツ配信サーバへのアクセス指示を行う、再アクセス指示部を備えるものであるとすれば好適である。
【００１９】
また、本発明のコンテンツ配信方法は、互いに無線ネットワークで結ばれた、コンテンツ配信サーバと移動体に設置される電子ペーパとによるコンテンツの配信方法であって、前記コンテンツ配信サーバが、移動経路に沿った移動体の移動予定時刻の情報を格納した移動予定データベースと、移動体の属性情報と当該移動体に設置される電子ペーパの属性情報とを対応付けて格納した移動体データベースと、電子ペーパで表示されるコンテンツを格納したコンテンツデータベースとを備えて、移動体に設置される電子ペーパの属性情報と、電子ペーパ表示用のコンテンツの属性情報と、前記移動体の移動区間に対応した前記コンテンツの表示区間の情報とを含むスケジュール指示情報を入力インターフェイスより受け付けて、これをコンテンツスケジュール情報データベースに格納し、前記スケジュール指示情報をコンテンツスケジュール情報データベースより読み出して、当該スケジュール指示情報が含む電子ペーパの属性情報に基づく前記移動体データベースにおける移動体の特定処理を実行し、ここで特定した移動体の属性情報を作業用記憶装置に格納し、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動予定時刻の抽出処理を実行し、当該抽出処理により抽出された前記表示区間に対応する移動予定時刻の情報を作業用記憶装置に格納し、前記作業用記憶装置から、前記表示区間に対応する移動予定時刻の情報を読み出して、移動予定時刻の差分を算定し、これをコンテンツの表示間隔として、前記表示区間と対応付けて配信スケジュールデータベースに格納し、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動区間の抽出処理を実行し、当該抽出処理により抽出された前記表示区間に対応する移動区間の情報を作業用記憶装置に格納し、前記作業用記憶装置から前記移動区間の情報を読み出して、前記スケジュール指示情報にて指定されたコンテンツの属性情報と対応付けて配信コンテンツデータベースに格納し、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信し、前記電子ペーパが、日時の到来を算定するクロック機能部と、無線ネットワークにアクセスして、コンテンツ配信を行うコンテンツ配信サーバとのデータ通信処理を行う無線通信部と、表示用のコンテンツを格納するコンテンツ記憶部と、前記コンテンツの表示スケジュールを格納するスケジュール記憶部とを備えて、所定日時の到来を前記クロック機能部にて検知し、前記無線通信部を介してアクセスした前記コンテンツ配信サーバに対し、表示用のコンテンツと当該表示用コンテンツの表示スケジュール情報の要求を行い、当該要求に応じてコンテンツ配信サーバから取得したコンテンツを前記コンテンツ記憶部に、前記表示スケジュール情報を前記スケジュール記憶部に、それぞれ格納し、前記スケジュール記憶部の表示スケジュールと前記クロック機能部での到来日時の情報とに従って、コンテンツ記憶部からの該当コンテンツの読み出し処理と、前記読み出し処理したコンテンツの前記表示スケジュールに沿った表示パネルでの出力切替処理とを実行する、ことを特徴とする。
【００２０】
また、本発明のコンテンツ配信方法は、互いに無線ネットワークで結ばれた、コンテンツ配信サーバと移動体に設置される電子ペーパとによるコンテンツの配信方法であって、前記コンテンツ配信サーバが、移動体の属性情報と当該移動体に設置される電子ペーパの属性情報とを対応付けて格納した移動体データベースと、電子ペーパで表示されるコンテンツを格納したコンテンツデータベースとを備えて、移動体に設置される電子ペーパの属性情報と、電子ペーパ表示用のコンテンツの属性情報と、前記電子ペーパにおけるコンテンツの表示時間帯の情報とを含むスケジュール指示情報を入力インターフェイスより受け付けて、これをコンテンツスケジュール情報データベースに格納し、前記スケジュール指示情報をコンテンツスケジュール情報データベースより読み出して、当該スケジュール指示情報が含む表示時間帯の情報に基づいて、各時間帯の表示時間を算定し、これをコンテンツの表示間隔として前記表示時間帯と対応付けて配信スケジュールデータベースに格納し、前記スケジュール指示情報にて指定されたコンテンツの属性情報と前記表示時間帯の情報とを対応付けて配信コンテンツデータベースに格納し、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信し、前記電子ペーパが、日時の到来を算定するクロック機能部と、無線ネットワークにアクセスして、コンテンツ配信を行うコンテンツ配信サーバとのデータ通信処理を行う無線通信部と、表示用のコンテンツを格納するコンテンツ記憶部と、前記コンテンツの表示スケジュールを格納するスケジュール記憶部とを備えて、所定日時の到来を前記クロック機能部にて検知し、前記無線通信部を介してアクセスした前記コンテンツ配信サーバに対し、表示用のコンテンツと当該表示用コンテンツの表示スケジュール情報の要求を行い、当該要求に応じてコンテンツ配信サーバから取得したコンテンツを前記コンテンツ記憶部に、前記表示スケジュール情報を前記スケジュール記憶部に、それぞれ格納し、前記スケジュール記憶部の表示スケジュール情報と前記クロック機能部での到来日時の情報とに従って、コンテンツ記憶部からの該当コンテンツの読み出し処理と、前記読み出し処理したコンテンツの前記表示スケジュールに沿った表示パネルでの出力切替処理とを実行する、ことを特徴とする。
【００２１】
また、本発明のコンテンツ配信サーバは、移動経路に沿った移動体の移動予定時刻の情報を格納した移動予定データベースと、移動体の属性情報と当該移動体に設置される電子ペーパの属性情報とを対応付けて格納した移動体データベースと、電子ペーパで表示されるコンテンツを格納したコンテンツデータベースと、移動体に設置される電子ペーパの属性情報と、電子ペーパ表示用のコンテンツの属性情報と、前記移動体の移動区間に対応した前記コンテンツの表示区間の情報とを含むスケジュール指示情報を入力インターフェイスより受け付けて、これをコンテンツスケジュール情報データベースに格納する、指示受付部と、前記スケジュール指示情報をコンテンツスケジュール情報データベースより読み出して、当該スケジュール指示情報が含む電子ペーパの属性情報に基づく前記移動体データベースにおける移動体の特定処理を実行し、ここで特定した移動体の属性情報を作業用記憶装置に格納する、移動体特定部と、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動予定時刻の抽出処理を実行し、当該抽出処理により抽出された前記表示区間に対応する移動予定時刻の情報を作業用記憶装置に格納する、移動予定特定部と、前記作業用記憶装置から、前記表示区間に対応する移動予定時刻の情報を読み出して、移動予定時刻の差分を算定し、これをコンテンツの表示間隔として、前記表示区間と対応付けて配信スケジュールデータベースに格納する、間隔算定部と、前記特定処理により特定した移動体の属性情報を作業用記憶装置より読み出し、この移動体について前記スケジュール指示情報にて指定された表示区間の情報をコンテンツスケジュール情報データベースより読み出し、前記移動予定データベースにおける前記移動経路において前記表示区間に対応する移動区間の抽出処理を実行し、当該抽出処理により抽出された前記表示区間に対応する移動区間の情報を作業用記憶装置に格納する、移動区間特定部と、前記作業用記憶装置から前記移動区間の情報を読み出して、前記スケジュール指示情報にて指定されたコンテンツの属性情報と対応付けて配信コンテンツデータベースに格納する、コンテンツ設定部と、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信する配信処理部と、を備える。
【００２２】
また、本発明のコンテンツ配信サーバは、移動体の属性情報と当該移動体に設置される電子ペーパの属性情報とを対応付けて格納した移動体データベースと、電子ペーパで表示されるコンテンツを格納したコンテンツデータベースと、移動体に設置される電子ペーパの属性情報と、電子ペーパ表示用のコンテンツの属性情報と、前記電子ペーパにおけるコンテンツの表示時間帯の情報とを含むスケジュール指示情報を入力インターフェイスより受け付けて、これをコンテンツスケジュール情報データベースに格納する、指示受付部と、前記スケジュール指示情報をコンテンツスケジュール情報データベースより読み出して、当該スケジュール指示情報が含む表示時間帯の情報に基づいて、各時間帯の表示時間を算定し、これをコンテンツの表示間隔として前記表示時間帯と対応付けて配信スケジュールデータベースに格納する、間隔算定部と、前記スケジュール指示情報にて指定されたコンテンツの属性情報と前記表示時間帯の情報とを対応付けて配信コンテンツデータベースに格納する、コンテンツ設定部と、無線ネットワークを介した電子ペーパからのアクセスを受け付けて、当該アクセスに際して電子ペーパから送信されてきた電子ペーパＩＤに基づき、前記配信スケジュールデータベースおよび配信コンテンツデータベースにおける該当レコードを表示スケジュール情報として特定し、当該表示スケジュール情報で指定されたコンテンツを前記コンテンツデータベースで特定し、前記表示スケジュール情報と前記コンテンツとを電子ペーパに送信する配信処理部と、を備える。
【００２３】
また、本発明の電子ペーパは移動体に設置されるものであり、日時の到来を算定するクロック機能部と、無線ネットワークにアクセスして、コンテンツ配信を行うコンテンツ配信サーバとのデータ通信処理を行う無線通信部と、表示用のコンテンツを格納するコンテンツ記憶部と、前記コンテンツの表示スケジュールを格納するスケジュール記憶部と、所定日時の到来を前記クロック機能部にて検知し、前記無線通信部を介してアクセスした前記コンテンツ配信サーバに対し、表示用のコンテンツと当該表示用コンテンツの表示スケジュール情報の要求を行い、当該要求に応じてコンテンツ配信サーバから取得したコンテンツを前記コンテンツ記憶部に、前記表示スケジュール情報を前記スケジュール記憶部に、それぞれ格納する、データ取得部と、前記スケジュール記憶部の表示スケジュールと前記クロック機能部での到来日時の情報とに従って、コンテンツ記憶部からの該当コンテンツの読み出し処理と、前記読み出し処理したコンテンツの前記表示スケジュールに沿った表示パネルでの出力切替処理とを実行する表示処理部と、を備える。なお、前記電子ペーパの表示パネルは、前記出力切替処理に伴う電力消費は生じるが、コンテンツ表示中は電力不用である。
【００２４】
また、本発明のコンテンツ表示制御方法は、コンテンツを表示する表示部および入出力部を備えて移動体に搭載された表示媒体装置および、前記コンテンツを格納する記憶装置を備えたコンテンツ配信サーバを用いたコンテンツ表示制御方法であって、前記コンテンツ配信サーバは、前記記憶装置に、前記移動体が停止する停止駅毎の前記移動体が停止する時間情報を示す移動スケジュール情報を格納しており、前記表示媒体装置が前記コンテンツ配信サーバに、コンテンツを要求するタイミングを示す再スケジュール時間を前記記憶装置における前記移動スケジュール情報に基づいて算出し、算出された前記再スケジュール時間を前記記憶装置に格納し、前記表示媒体装置から、コンテンツの送信を要求するコンテンツ送信要求を受信した場合に、前記再スケジュール時間および前記コンテンツを、前記表示媒体装置に送信し、前記表示媒体装置は、受信した前記コンテンツを前記表示部に表示し、少なくとも、再スケジュール時間で定められた時間の到来時に前記入出力部に電源を供給し、コンテンツの送信を要求するコンテンツ送信要求を、前記入出力部から前記コンテンツ配信サーバへ送信することを特徴とする。
また、本発明のコンテンツ配信サーバは、コンテンツを表示する表示部および入出力部を備えて移動体に搭載され、少なくとも、再スケジュール時間で定められた時間の到来時に前記入出力部に電源を供給し、前記入出力部から、コンテンツ送信要求情報を送信してくる表示媒体装置に接続され、前記表示媒体装置が搭載された移動体の情報および前記コンテンツを格納する記憶装置を備えたコンテンツ配信サーバであって、前記記憶装置に前記移動体が停止する停止駅毎の前記移動体が停止する時間情報を示す移動スケジュール情報を格納しており、コンテンツ送信要求を前記表示媒体装置から送信させる時刻を定めた、再スケジュール時間の算出を、前記記憶装置における前記移動スケジュール情報に基づいて行う再スケジュール情報取得部と、算出された前記再スケジュール時間を前記記憶装置に格納する格納手段と、前記表示媒体装置から、前記コンテンツ送信要求を受信する受信手段と、前記コンテンツ送信要求を受信した場合に、前記再スケジュール時間および前記コンテンツを、前記表示媒体装置に送信する送信手段と、を具備することを特徴とする。
その他、本願が開示する課題、及びその解決方法は、発明の実施の形態の欄、及び図面により明らかにされる。
【発明の効果】
【００２５】
本発明によれば、PULL型の表示媒体装置に対して、設定したタイミングにコンテンツを取得し、省電力に表示させることができる。本発明によれば、移動体の走行区間、時間帯、車両属性などに応じた、コンテンツ表示内容の効率的で低コストな切替処理が可能となる。
【発明を実施するための最良の形態】
【００２６】
−−−システム構成−−−
以下に本発明の実施形態について図面を用いて詳細に説明する。図１は本実施形態のコンテンツ配信システム１０を含むネットワーク構成図である。前記コンテンツ配信システム１０（以下、システム１０）は、コンテンツ配信サーバ１００と電子ペーパ２００とから構成されるシステムである。このようなシステム１０を構成する前記コンテンツ配信サーバ１００は、例えば移動体１（例：鉄道車両、バス、タクシー、航空機、船舶など）に搭載されるか、移動体１の移動経路上（例：線路の各所や駅、バス停、空港、港湾）に、無線アクセスポイント１２と共に設置されることが想定できる。移動経路上のなかでも、特に車庫に設置されることが望ましい。車庫にコンテンツ配信サーバ１００が設置されれば、電子ペーパ２００が搭載された移動体１が、長い時間車庫に停車することになるため、より確実に、コンテンツ配信サーバから、電子ペーパ２００へコンテンツを配信することができるからである。
【００２７】
移動体１に設置されている電子ペーパ２００は、このコンテンツ配信サーバ１００に前記無線アクセスポイント１２を介してアクセスしてコンテンツやその表示スケジュールに関する情報を入手するのである。コンテンツ配信サーバ１００が配信するコンテンツとしては、商品・サービス等の広告情報の他、ニュース、企業や公的機関のお知らせ、移動体１の運行状況などを想定できる。
【００２８】
また、コンテンツ配信サーバ１００の機能構成としては、本発明のコンテンツ配信方法を電子ペーパ２００と実行する機能を実現すべく、書き換え可能メモリなどのプログラムデータベース１０１にプログラム１０２を備えて、このプログラム１０２をメモリ１０３に読み出し、演算装置たるＣＰＵ１０４により実行する。
【００２９】
また、前記コンテンツ配信サーバ１００は、各種ボタン類などの入力インターフェイス１０５や、ディスプレイなどの出力インターフェイス１０６、ならびに電子ペーパ２００などの外部装置との間のデータ授受を担う通信装置１０７などを有している。前記コンテンツ配信サーバ１００は、前記通信装置１０７により、電子ペーパ２００といった外部装置と例えば無線ＬＡＮなどの各種無線ネットワーク１４０に無線アクセスポイント１２を介して接続し、データ授受を実行する。コンテンツ配信サーバ１００の各種機能部と通信装置１０７との間ではＩ／Ｏ部１０８がデータのバッファリングや各種仲介処理を実行している。
【００３０】
続いて、前記システム１０を構成するコンテンツ配信サーバ１００が、例えばプログラム１０２に基づき構成・保持する機能部につき説明を行う。なお、前記コンテンツ配信サーバ１００は、移動経路に沿った移動体１の移動予定時刻の情報を格納した移動予定データベースたるダイヤ情報１２５と、移動体１の属性情報と当該移動体１に設置される電子ペーパ２００の属性情報とを対応付けて格納した移動体データベースたる車両情報１２６と、電子ペーパ２００で表示されるコンテンツを格納したコンテンツデータベース１２７とを利用可能であるとする。なお、前記ダイヤ情報１２５は、前記移動体１が鉄道車両である場合、例えば駅などに設置されているダイヤ作成システム４から駅ネットワーク１４０を介してコンテンツ配信サーバ１００が取得するものとできる。
【００３１】
こうした、コンテンツ配信サーバ１００は、移動体１に設置される電子ペーパ２００の属性情報と、電子ペーパ表示用のコンテンツの属性情報と、前記移動体１の移動区間に対応した前記コンテンツの表示区間の情報とを含むスケジュール指示情報を入力インターフェイス１０５より受け付けて、これをコンテンツスケジュール情報データベース１２８に格納する、指示受付部１１０を備える。前記スケジュール指示情報は、例えばコンテンツ配信を希望する広告主やコンテンツ配信サーバ１００の管理者等が利用する、コンテンツ／スケジュール情報登録システム３で入力され、これが駅ネットワーク１４０を介して走行中の移動体１に搭載されたコンテンツ配信サーバ１００に送られるものと想定できる。
【００３２】
なお、前記指示受付部１１０は、移動体１に設置される電子ペーパ２００の属性情報と、電子ペーパ表示用のコンテンツの属性情報と、前記電子ペーパ２００におけるコンテンツの表示時間帯の情報とを含むスケジュール指示情報を入力インターフェイス１０５より受け付けて、これをコンテンツスケジュール情報データベース１２８に格納する。また、指示受付部１１０は、コンテンツ/スケジュール登録システムから、再スケジュール時間の算出の処理のときに、ダイヤ情報に基づいて、移動体の停止する駅の指定を入力インターフェイス１０５より受け付ける処理を行う。
【００３３】
また、前記コンテンツ配信サーバ１００は、前記スケジュール指示情報をコンテンツスケジュール情報データベース１２８より読み出して、当該スケジュール指示情報が含む電子ペーパ２００の属性情報に基づく前記移動体データベース１２６における移動体１の特定処理を実行し、ここで特定した移動体１の属性情報を作業用記憶装置１６０に格納する、移動体特定部１１１を備える。
【００３４】
また、前記コンテンツ配信サーバ１００は、前記特定処理により特定した移動体１の属性情報を作業用記憶装置１６０より読み出し、この移動体１について前記スケジュール指示情報にて指定された表示区間の情報をコンテンツスケジュール情報データベース１２８より読み出し、前記移動予定データベース１２５における前記移動経路において前記表示区間に対応する移動予定時刻の抽出処理を実行し、当該抽出処理により抽出された前記表示区間に対応する移動予定時刻の情報を作業用記憶装置１６０に格納する、移動予定特定部１１２を備える。
【００３５】
また、前記コンテンツ配信サーバ１００は、前記作業用記憶装置１６０から、前記表示区間に対応する移動予定時刻の情報を読み出して、移動予定時刻の差分を算定し、これをコンテンツの表示間隔として、前記表示区間と対応付けて配信スケジュールデータベース１２９に格納する、間隔算定部１１３を備える。
【００３６】
なお、前記間隔算定部１１３は、前記スケジュール指示情報をコンテンツスケジュール情報データベース１２８より読み出して、当該スケジュール指示情報が含む表示時間帯の情報に基づいて、各時間帯の表示時間を算定し、これをコンテンツの表示間隔として前記表示時間帯と対応付けて配信スケジュールデータベース１２９に格納するものとしてもよい。
【００３７】
また、前記コンテンツ配信サーバ１００は、前記特定処理により特定した移動体１の属性情報を作業用記憶装置１６０より読み出し、この移動体１について前記スケジュール指示情報にて指定された表示区間の情報をコンテンツスケジュール情報データベース１２８より読み出し、前記移動予定データベース１２５における前記移動経路において前記表示区間に対応する移動区間の抽出処理を実行し、当該抽出処理により抽出された前記表示区間に対応する移動区間の情報を作業用記憶装置１６０に格納する、移動区間特定部１１４を備える。
【００３８】
また、前記コンテンツ配信サーバ１００は、前記作業用記憶装置１６０から前記移動区間の情報を読み出して、前記スケジュール指示情報にて指定されたコンテンツの属性情報と対応付けて配信コンテンツデータベース１３０に格納する、コンテンツ設定部１１５を備える。
【００３９】
なお、前記コンテンツ設定部１１５は、前記スケジュール指示情報にて指定されたコンテンツの属性情報と前記表示時間帯の情報（表示する順序）とを対応付けて配信コンテンツデータベース１３０に格納するものとしてもよい。
【００４０】
また、前記コンテンツ配信サーバ１００は、無線ネットワーク１４０を介した電子ペーパ２００からのアクセスを受け付けて、当該アクセスに際して電子ペーパ２００から送信されてきた電子ペーパＩＤに基づき、前記配信スケジュールデータベース１２９および配信コンテンツデータベース１３０における該当レコードを表示スケジュール情報として特定し、当該表示スケジュール情報で指定されたコンテンツを前記コンテンツデータベース１２７で特定し、前記表示スケジュール情報と前記コンテンツとを電子ペーパ２００に送信する配信処理部１１６を備える。
【００４１】
また、前記コンテンツ配信サーバ１００は、電子ペーパ２００からコンテンツ配信サーバ１００への再スケジュール時間の情報を入力インターフェイス１０５より受け付けて、これを、前記配信スケジュールデータベース１２９において該当電子ペーパ２００に対応付けて格納する、再スケジュール情報取得部１１７を備える。また、再スケジュール情報取得部１１７は、再スケジュール時間を、ダイヤ情報に基づいて算出し、算出された値を、配信スケジュール情報１２９に格納してもよい。なお、再スケジュール時間とは、電子ペーパ２００がコンテンツ配信サーバ１００へコンテンツ/スケジュールを取得する時間（図１のステップ３０、２０）であるが、再スケジュール間隔とは、電子ペーパ２００がコンテンツ配信サーバ１００からコンテンツ等を受信（図１のステップ２３、２４）から、コンテンツ配信サーバ１００へコンテンツ/スケジュールを取得するまでの時間間隔である。再スケジュール時間も再スケジュール間隔も、図１のステップ３０の判断をするための時間情報であり、機能的に同一である。
【００４２】
次に、前記システム１０を構成する電子ペーパ２００について説明する。電子ペーパ２００は、鉄道車両やバスなどの移動体１に設置され、本発明のコンテンツ配信方法を前記コンテンツ配信サーバ１００と実行する機能を実現すべく、書き換え可能メモリなどのプログラムデータベース２０１に格納されたプログラム２０２をメモリ２０３に読み出し、演算装置たるＣＰＵ２０４により実行する。
【００４３】
また、前記電子ペーパ２００は、ディスプレイなどの出力インターフェイス２０５ならびに、コンテンツ配信サーバ１００といった外部装置との間でデータ授受を担う通信装置２０６などを有している。本発明においてはこの通信装置２０６は、コンテンツ配信サーバ１００との無線通信を実行する無線通信部が制御対象とするハードウェアになる。また、前記電子ペーパ２００は、前記通信装置２０６により、コンテンツ配信サーバ１００といった外部装置と例えば無線ＬＡＮなどの各種無線ネットワーク１４０に無線アクセスポイント１２を介して接続し、データ授受を実行する。電子ペーパ２００の各種機能部と通信装置２０６との間ではＩ／Ｏ部２０７がデータのバッファリングや各種仲介処理を実行している。
【００４４】
続いて、前記システム１０を構成する電子ペーパ２００が、例えばプログラム２０２に基づき構成・保持する機能部につき説明を行う。前記電子ペーパ２００は、日時の到来を算定するクロック機能部２１０と、無線ネットワーク１４０にアクセスして、コンテンツ配信を行うコンテンツ配信サーバ１００とのデータ通信処理を行う無線通信部２１１と、表示用のコンテンツを格納するコンテンツ記憶部２１２と、前記コンテンツの表示スケジュールを格納するスケジュール記憶部２１３とを備える。
【００４５】
また、前記電子ペーパ２００は、再スケジュール時間（間隔）で設定された所定日時の到来を前記クロック機能部２１０にて検知し、前記無線通信部２１１を介してアクセスした前記コンテンツ配信サーバ１００に対し、表示用のコンテンツと当該表示用コンテンツの表示スケジュール情報の要求を行い、当該要求に応じてコンテンツ配信サーバ１００から取得したコンテンツを前記コンテンツ記憶部２１２に、前記表示スケジュール情報を前記スケジュール記憶部２１３に、それぞれ格納する、データ取得部２１４を備える。
【００４６】
また、前記電子ペーパ２００は、前記スケジュール記憶部２１３の表示スケジュールと前記クロック機能部２１０での到来日時の情報とに従って、コンテンツ記憶部２１２からの該当コンテンツの読み出し処理と、前記読み出し処理したコンテンツの前記表示スケジュールに沿った表示パネル２３０での出力切替処理とを実行する表示処理部２１５を備える。
【００４７】
また、前記電子ペーパ２００は、コンテンツ配信サーバ１００より取得した表示スケジュール情報に含まれる前記再スケジュール時間の情報に基づき、前記クロック機能部２１０にて前記再スケジュール時間の到来を検知し、前記データ取得部２１４に対してコンテンツ配信サーバ１００へのアクセス指示を行う、再アクセス指示部２１６を備えるものとしてもよい。
【００４８】
なお、これまで示した前記システム１０を構成するコンテンツ配信サーバ１００における各機能部１１０〜１１７、電子ペーパ２００における各機能部２１０〜２１６は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記コンテンツ配信サーバ１００または電子ペーパ２００の各ＣＰＵが、プログラム実行に合わせて記憶装置より該当プログラムをメモリに読み出して、これを実行することとなる。
【００４９】
電子ペーパは、電子ペーパの特性である省電力、すなわち画面表示を書き換えるときにのみ、バッテリを消費し、表示画面を書き換えていない状態の場合には、微量のバッテリしか消費しない特性がある。この特性を活かすために、通常は表示を切替える際に用いる機能のみに電力を供給し、通信手段等に電力を供給せず、働かせていない状態になっている。つまり、電子ペーパがコンテンツを表示、切替を行っている図１のステップ２４〜２９では、コンテンツを表示・切替をするための必要な機能（クロック機能部２１０、表示処理部等）に電力を供給する仕組みになっている。コンテンツ配信サーバ１００と通信を行うときに、通信手段等に電源を供給し、通信を行う。
【００５０】
−−−データベース構造−−−
次に、本実施形態のシステム１０を構成するコンテンツ配信サーバ１００が利用する、移動予定データベース１２５、移動体データベース１２６、コンテンツデータベース１２７、コンテンツスケジュール情報データベース１２８、配信スケジュールデータベース１２９、配信コンテンツデータベース１３０、の各データ構造について説明する。
【００５１】
図２は、本実施形態におけるデータベースのデータ構造例１を示す図である。図２（ａ）に示すように、前記移動予定データベースたるダイヤ情報１２５は、列車番号をキーとして、駅情報、着時刻（駅への到着時刻）、発時刻（駅からの発車時刻）の情報を対応付けたレコードの集合体となっている。また、ダイヤ情報１２５は、列車番号をキーとした駅情報、着時刻、発時刻の行の最初が、当該移動体が車庫から出発した最初の駅、行の最後が、車庫に入庫する直前の駅とする。または、ダイヤ情報に、車庫に入庫する直前の駅および直後の駅のフラグが付いていてもよい。
【００５２】
また、図２（ｂ）に示すように、前記移動体データベースたる車両情報１２６は、列車番号をキーとして、車両番号、（設置対象の）電子ペーパＩＤといった情報を対応付けたレコードの集合体となっている。また、図２（ｃ）に示すように、前記コンテンツデータベース１２７は、電子ペーパ２００で表示されるべきコンテンツを格納したものであり、たとえばコンテンツ名称をキーとして、属性１（例：カラー属性）、属性２（例：サイズ）、ファイルといったデータを対応付けたレコードの集合体となっている。
【００５３】
図３は、本実施形態におけるデータベースのデータ構造例２を示す図である。次に、コンテンツスケジュール情報１２８のデータ形式について説明する。コンテンツスケジュール情報１２８の形式については、図３（ａ）時間帯ごとに表示するコンテンツが入力される場合と、図３（ｂ）車両の走行区間ごとに表示するコンテンツが入力される場合とを想定できる。ここでは前者をコンテンツスケジュール情報（時間帯）、後者をコンテンツスケジュール情報（区間）とする。
【００５４】
コンテンツスケジュール情報（時間帯）は、図に示すとおり、電子ペーパＩＤをキーとして、表示時間帯、コンテンツの属性情報（コンテンツ名称）を対応付けたレコードの集合体である。ここで、各電子ペーパ２００における、各表示時間帯とコンテンツとは１対１で対応している必要がある。また、コンテンツスケジュール情報（区間）は、図に示すとおり、電子ペーパＩＤをキーとして、表示区間、コンテンツの属性情報（コンテンツ名称）を格納する。ここで、各電子ペーパ２００における、各表示区間とコンテンツとは１対１で対応している必要がある。
【００５５】
図４は、本実施形態におけるデータベースのデータ構造例３を示す図である。次に、配信スケジュールデータベース１２９および配信コンテンツデータベース１３０について説明する。前記配信スケジュールデータベース１２９は、コンテンツの表示対象である電子ペーパＩＤをキーとして、（コンテンツの）再スケジュール時間（間隔でもよい）、（コンテンツの）表示間隔といった情報を対応付けたレコードの集合体となっている。前記表示間隔は１つの電子ペーパＩＤに対して複数対応付けていてもよい。
【００５６】
また、前記配信コンテンツデータベース１３０は、コンテンツの表示対象である電子ペーパＩＤをキーとして、（コンテンツの）サイズ、（コンテンツの）種類、コンテンツの属性情報（コンテンツ名称など）を対応付けたレコードの集合体となっている。コンテンツの属性情報は１つの電子ペーパＩＤに対して複数設定してもよいが、コンテンツのサイズと種類は１つの電子ペーパＩＤに対して全て統一されている必要がある。
【００５７】
−−−処理フロー例１−−−
以下、本実施形態におけるコンテンツ配信方法の実際手順例について、図に基づき説明する。なお、以下で説明するコンテンツ配信方法に対応する各種動作は、前記システム１０を構成するコンテンツ配信サーバ１００および電子ペーパ２００が、適宜なメモリに読み出して実行するプログラムによって実現される。そして、こうしたプログラムは、以下に説明される各種の動作を行うためのコードからそれぞれ構成されている。また、本実施形態では、移動体１の一例として鉄道車両を想定する。また、この鉄道車両の車内または車外に電子ペーパ２００を設置し、コンテンツ配信サーバ１００から配信される広告情報などのコンテンツをこの電子ペーパ２００の表示パネル２３０で表示するものとする。鉄道車両の乗客または鉄道車両を眺める者は、前記電子ペーパ２００においてタイミング良く切り替え表示される広告等を閲覧することとなる。
【００５８】
以下、本実施形態におけるコンテンツ配信方法のメインフローを説明する。図５は、本実施形態のコンテンツ配信方法における手順例１を示すフロー図である。この図のフローは、コンテンツ配信システム１０において、電子ペーパ２００がコンテンツ配信サーバ１００からコンテンツと表示のスケジュールを取得し、このスケジュールに基づいてコンテンツを表示させる場合のフローである。この場合、電子ペーパ２００のデータ取得部２１４は、例えば所定日時の到来を前記クロック機能部２１０にて検知し、前記無線通信部２１１を介して無線ネットワーク１４０にアクセスする。そして、前記コンテンツ配信サーバ１００に対し、表示用のコンテンツと当該表示用コンテンツの表示スケジュール情報の要求を行う（ｓ２０）。なお、はじめに、すなわちコンテンツ配信サーバ１００からコンテンツおよび再スケジュール時間が送信される前に、電子ペーパ２００からコンテンツ配信サーバ１００へコンテンツ/スケジュール取得の要求を送信する場合には、電子ペーパ２００に対する何らかの指示もしくは、予め電子ペーパ２００に格納されているコンテンツ取得指示時間に基づいて行うものとする。
【００５９】
一方、前記コンテンツ配信サーバ１００の配信処理部１１６は、無線ネットワーク１４０を介した電子ペーパ２００からのアクセスを受け付けて、当該アクセスに際して電子ペーパ２００から送信されてきた電子ペーパＩＤのチェックを行う（ｓ２１）。ここで電子ペーパＩＤのチェックとは、電子ペーパ２００のＩＤから（コンテンツの）サイズと、（コンテンツの）種類をチェックし、取得するコンテンツが該当電子ペーパ２００において表示可能な適正な画像ファイルであることを確認する処理である。そのため、コンテンツ配信サーバ１００の配信処理部１１６は、この電子ペーパＩＤに基づき、前記配信スケジュールデータベース１２９および配信コンテンツデータベース１３０における該当レコードを表示スケジュール情報として特定し、当該表示スケジュール情報で指定されたコンテンツを前記コンテンツデータベース１２７で特定する。ここで特定されたコンテンツのサイズや種類（カラー特性など）が、該当電子ペーパ２００のスペックにて表示可能か配信処理部１１６が判定する（ｓ２２）。なお、この処理のため、コンテンツ配信サーバ１００は、電子ペーパ２００のスペック情報をメモリ１０３等に予め備えているとする。
【００６０】
この判定結果が問題あれば（ｓ２２：ｎｏ）、エラーメッセージの出力を電子ペーパ２００に対して実行し（ｓ３１）、処理を終了する。他方、前記判定結果が問題なければ（ｓ２２：ｙｅｓ）、前記配信処理部１１６は、配信スケジュール明細情報と、配信コンテンツ明細情報を作成し、電子ペーパ２００に送信する（ｓ２３）。配信スケジュール明細情報と配信コンテンツ明細情報の作成については後述する。
【００６１】
一方、前記電子ペーパ２００のデータ取得部２１４は、コンテンツ配信サーバ１００から配信されてきたコンテンツを前記コンテンツ記憶部２１２に、前記表示スケジュール情報を前記スケジュール記憶部２１３に、それぞれ格納する。また、前記電子ペーパ２００の表示処理部２１５は、前記スケジュール記憶部２１３の表示スケジュールと前記クロック機能部２１０での到来日時の情報とに従って、コンテンツ記憶部２１２からの該当コンテンツの読み出し処理と、前記読み出し処理したコンテンツの前記表示スケジュールに沿った表示パネル２３０での出力切替処理とを実行する。
【００６２】
具体的には、例えば、配信されたコンテンツのうち、最初にスケジューリングされていた「コンテンツ１」を表示し（ｓ２４）、表示スケジュールに基づく表示時間が経過した場合（ｓ２５：ｙｅｓ）、次の「コンテンツ２」を表示する（ｓ２６）。またさらに表示時間が経過した場合（ｓ２７：ｙｅｓ）は、次の「コンテンツ３」を表示し（ｓ２８）、再スケジューリング時間が経過するまでこれを繰り返す（ｓ２７）。再スケジューリング時間が到来した場合（ｓ３０：ｙｅｓ）、コンテンツ配信サーバ１００に再度アクセスして、コンテンツと表示スケジュール情報を取得し直すこととなる（ｓ３０）。この処理は、前記電子ペーパ２００の再アクセス指示部２１６が、コンテンツ配信サーバ１００より取得した表示スケジュール情報に含まれる前記再スケジュール時間の情報に基づき、前記クロック機能部２１０にて前記再スケジュール時間の到来を検知し、前記データ取得部２１４に対してコンテンツ配信サーバ１００へのアクセス指示を行うことで実現できる。
【００６３】
なお、再アクセスの時期は、例えばダイヤ情報１２５における路線毎に、予め定期的な広告の入替時間を定めておき（１日１回など）その間隔に従うことが想定できる。
【００６４】
−−−処理フロー例２−−−
次に、コンテンツ配信サーバ１００が配信スケジュール明細情報５および配信コンテンツ明細情報６を作成する処理について説明する。この配信スケジュール明細情報５および配信コンテンツ明細情報６は、コンテンツ配信サーバ１００から電子ペーパ２００に送られて、電子ペーパ２００におけるコンテンツ表示のスケジュールを構成するデータとなる。
【００６５】
図６、７は手順２、図８は手順３の説明をしている。手順２と手順３の違いは、手順２は表示間隔をダイヤ情報に基づいた区間で定め、手順３は表示間隔を時間で定めているところである。
【００６６】
図６は、本実施形態のコンテンツ配信方法における手順例２を示すフロー図である。このフローは、前記コンテンツ／スケジュール情報登録システム３においてコンテンツ／スケジュール情報が表示区間に対応付けて入力された場合に、配信コンテンツ明細情報、および配信スケジュール明細情報を作成するための処理フローである。また、図７は、前記処理フロー例２の具体的な処理イメージを示す。
【００６７】
ここでコンテンツ配信サーバ１００は、予め前記ダイヤ作成システム４など他のサブシステムから取得したダイヤ情報１２５の更新（ｓ５０）、および鉄道車両の車両管理システムなど他のサブシステムから取得した車両情報１２６の更新を実行しておくものとする（ｓ５２）。また、広告主やコンテンツ配信サーバ１００の管理者などといったコンテンツの登録者は、コンテンツとともに、（コンテンツの）表示区間の情報をコンテンツ配信サーバ１００に送信する。ここでコンテンツと表示区間は複数あってもよいが１対１で対応している必要がある。
【００６８】
一方、コンテンツ配信サーバ１００の指示受付部１１０は、移動体１に設置される電子ペーパ２００の属性情報と、電子ペーパ表示用のコンテンツの属性情報と、前記移動体１の移動区間に対応した前記コンテンツの表示区間の情報とを含むスケジュール指示情報についての前記入力を、入力インターフェイス１０５より受け付けて、これをコンテンツスケジュール情報データベース１２８に格納する（ｓ５１）。前記スケジュール指示情報は、例えばコンテンツ配信を希望する広告主やコンテンツ配信サーバ１００の管理者等が利用する、コンテンツ／スケジュール情報登録システム３で入力され、これが駅ネットワーク１４０などを介して走行中の移動体１に搭載、ないし駅に設置されたされたコンテンツ配信サーバ１００に送られるものと想定できる。図７の例では、コンテンツスケジュール情報の表示区間が「川崎〜品川」間、および「品川〜東京」間の２つであるが、勿論２つ以上あってもよいし、単数でもよい。
【００６９】
配信スケジュールデータベースの再スケジュール時間（間隔）の設定は、コンテンツ/スケジュール情報登録システムから、区間の情報（例えば、図２(a)のダイヤ情報中の列車番号および駅情報）の指定を受け付け、コンテンツ配信サーバは、ダイヤ情報を基に、指定を受け付けた駅の着時刻、発時刻を抽出し、抽出された時刻を、再スケジュール時間として行う。
【００７０】
その他の方法として、コンテンツ/スケジュール情報登録システムからの指定は受け付けずに、コンテンツ配信サーバで、ダイヤ情報から、駅毎（もしくは、コンテンツ等を配信すべくフラグが付けられた駅）の着時刻、発時刻を抽出し、抽出された時刻を再スケジュール間隔としてもよい。
【００７１】
または、ダイヤ情報から、列車毎に車庫に入る時刻すなわち、ダイヤ情報１２５の列車毎のダイヤ情報の行の最後の時刻を抽出し、その時刻以後の時刻を、再スケジュール時間としてもよい。この場合には、車庫において、コンテンツの入れ替えを行うことができる。
【００７２】
これらのように、列車のダイヤ情報に基づいた再スケジュール時間を設定により、電車の路線、時間帯、走行区間に応じたコンテンツの供給および表示をすることができる。
【００７３】
その他の再スケジュール時間の設定方法として、再スケジュール時間の情報を、コンテンツ/スケジュール情報登録システムから受け付けてもよい。  なお、再スケジュール時間の抽出、決定、および配信スケジュールデータベース１２９への格納は、再スケジュール情報取得部が行う。  
再スケジュール時間の設定については、手順３で行う場合にも同様とする。
【００７４】
また、前記コンテンツ配信サーバ１００の再スケジュール情報取得部１１７が、電子ペーパ２００からコンテンツ配信サーバ１００への再アクセス時期の情報を、前記コンテンツ／スケジュール情報登録システム３などより受け付けて、これを、前記配信スケジュールデータベース１２９において該当電子ペーパ２００に対応付けて格納するとすれば好適である。
【００７５】
続いてコンテンツ配信サーバ１００は、コンテンツスケジュール情報データベース１２８に登録された情報が含む、電子ペーパＩＤごとに、次の処理を実施する。前記コンテンツ配信サーバ１００の移動体特定部１１１は、前記スケジュール指示情報をコンテンツスケジュール情報データベース１２８より読み出して、当該スケジュール指示情報が含む電子ペーパ２００のＩＤに基づく前記車両情報１２６における鉄道車両１の特定処理を実行し、ここで特定した鉄道車両１の属性情報（列車番号、車両番号）を作業用記憶装置１６０に格納する。
【００７６】
また、前記コンテンツ配信サーバ１００の移動予定特定部１１２は、前記特定処理により特定した鉄道車両１の属性情報を作業用記憶装置１６０より読み出し、この鉄道車両１について前記スケジュール指示情報にて指定された表示区間の情報をコンテンツスケジュール情報データベース１２８より読み出す（ｓ５４）。そして、前記ダイヤ情報１２５における前記移動経路（鉄道車両の発着駅群）において前記表示区間に対応する移動予定時刻（対応各駅の発着時刻）の抽出処理を実行し、当該抽出処理により抽出された前記表示区間に対応する移動予定時刻の情報を作業用記憶装置１６０に格納する。
【００７７】
ここでの処理に際しては、例えばダイヤ情報１２５より抽出した表示区間、つまり鉄道車両の発着駅についてその着時刻順にソートする（ｓ５５）。ソートした発着駅情報の並び順が、前記ダイヤ情報１２５における鉄道車両の発着順に全く合致した正しい表示区間になっている場合（ｓ５６：ｙｅｓ）は、該当コンテンツの情報をコンテンツデータベース１２７より読み出して配信コンテンツ明細情報６に登録する（ｓ５８）。
【００７８】
一方、正しい表示区間になっていない場合は（ｓ５６：ｎｏ）、コンテンツが登録されていない移動区間であるが、あらかじめ定められた広告提供先の標準画像の情報を、コンテンツデータベース１２７より読み出して、配信コンテンツ明細情報５に登録する（ｓ５７）。この処理を実行することで、何も表示されない区間が生じないようにする。図７の例では、表示間隔のうち、表示区間でない箇所（「川崎〜川崎」間または「品川〜品川」間）については広告主が存在しないこととなるので、この区間に前記標準画像を設定することで、何も表示されない時間帯が発生しないよう、配信スケジュール明細情報５、配信コンテンツ明細情報６を作成する。
【００７９】
また、前記コンテンツ配信サーバ１００の間隔算定部１１３は、前記作業用記憶装置１６０から、前記表示区間に対応する移動予定時刻の情報を読み出して、移動予定時刻の差分を算定し、これをコンテンツの表示間隔として、前記表示区間と対応付けて配信スケジュールデータベース１２９に格納する（ｓ５９）。この処理はダイヤ情報の終了まで繰り返す。
【００８０】
なお、前記コンテンツ配信サーバ１００の移動区間特定部１１４は、前記特定処理により特定した移動体１の属性情報を作業用記憶装置１６０より読み出し、この移動体１について前記スケジュール指示情報にて指定された表示区間の情報をコンテンツスケジュール情報データベース１２８より読み出し、前記ダイヤ情報１２５における前記移動経路において前記表示区間に対応する移動区間（図７の情報７００）の抽出処理を実行し、当該抽出処理により抽出された前記表示区間に対応する移動区間の情報７００を作業用記憶装置１６０に格納する。
【００８１】
また、前記コンテンツ配信サーバ１００のコンテンツ設定部１１５は、前記作業用記憶装置１６０から前記移動区間の情報７００を読み出して、前記スケジュール指示情報にて指定されたコンテンツの属性情報と対応付けて配信コンテンツデータベース１３０に格納する。こうして、配信スケジュール明細情報５および配信コンテンツ明細情報６が生成され、それぞれ配信スケジュールデータベース１２９、配信コンテンツデータベース１３０に格納されるのである。
【００８２】
−−−処理フロー例３−−−
図８は、本実施形態のコンテンツ配信方法における手順例３を示すフロー図である。このフローは、前記コンテンツ／スケジュール情報登録システム３においてコンテンツ／スケジュール情報が表示時間帯に対応付けて入力された場合に、配信コンテンツ明細情報、および配信スケジュール明細情報を作成するための処理フローである。ここで、コンテンツの登録者は、あらかじめコンテンツとともに、（コンテンツの）表示時間帯を、コンテンツ／スケジュール情報登録システム３などで入力する。ここでコンテンツと表示時間帯は複数あってもよいが１対１で対応している必要がある。
【００８３】
一方、前記コンテンツ配信サーバ１００の指示受付部１１０は、前記入力をネットワーク１４０を介して受けて、移動体１に設置される電子ペーパ２００の属性情報と、電子ペーパ表示用のコンテンツの属性情報と、前記電子ペーパ２００におけるコンテンツの表示時間帯の情報とを含むスケジュール指示情報として、コンテンツスケジュール情報データベース１２８に格納する（ｓ４０）。
【００８４】
また、前記コンテンツ配信サーバ１００の再スケジュール情報取得部１１７が、電子ペーパ２００からコンテンツ配信サーバ１００への再スケジュール時間の情報を、前記コンテンツ／スケジュール情報登録システム３などより受け付けて、これを、前記配信スケジュールデータベース１２９において該当電子ペーパ２００に対応付けて格納するとすれば好適である。
【００８５】
続いてコンテンツ配信サーバ１００は、コンテンツスケジュール情報データベース１２８に登録された情報が含む電子ペーパＩＤごとに、次の処理を実施する。前記コンテンツ配信サーバ１００の間隔算定部１１３は、前記スケジュール指示情報をコンテンツスケジュール情報データベース１２８より読み出して、当該スケジュール指示情報が含む表示時間帯の情報に基づいて、各時間帯の表示時間を算定し、これをコンテンツの表示間隔として前記表示時間帯と対応付けた配信スケジュール明細情報５として配信スケジュールデータベース１２９に格納する（ｓ４１）。図８の例であれば、コンテンツスケジュール情報が、例えば「コンテンツ１」について表示時間帯「６：００〜１２：００」を示しているから、この表示間隔は６時間、つまり「６×６０分」＝「３６０分」と算定できる。
【００８６】
前記コンテンツ配信サーバ１００のコンテンツ設定部１１５は、前記スケジュール指示情報にて指定されたコンテンツの属性情報と前記表示時間帯の情報とを対応付けて、これを配信コンテンツ明細情報６として配信コンテンツデータベース１３０に格納する（ｓ４２）。
【００８７】
さらにコンテンツ配信サーバ１００は、前記配信スケジュール明細情報５における表示間隔の合計（図の例：３６０＋３６０＝７２０分）が、再アクセスの間隔（図の例：２４時間）以下の場合（ｓ４３：ｎｏ）、コンテンツ表示の余剰時間（図の例：７２０分）が生じると認識し、配信コンテンツ明細情報６に標準画像を設定する。また、この標準画像の表示時間帯として、配信スケジュール明細情報５に「再アクセス間隔−表示間隔」の合計時間（図の例：７２０分）を設定する（ｓ４４）。こうして、配信スケジュール明細情報５および配信コンテンツ明細情報６が生成され、それぞれ配信スケジュールデータベース１２９、配信コンテンツデータベース１３０に格納されるのである。
【００８８】
本発明によると、コンテンツの登録者があらかじめ登録したコンテンツの表示区間、コンテンツの表示時間帯等に基づいて、移動体１（例：鉄道車両やバス車両）の移動予定の情報（例：列車ダイヤ情報）などを利用したコンテンツ配信のスケジュールを作成・配信することが可能となり、電子ペーパではこのスケジュールに基づいた、適切な区間、適切な時間帯におけるコンテンツ表示処理を行うことが可能となる。また、電子ペーパのＩＤに基づいて、配信コンテンツの属性（モノクロ、カラー、サイズ）に応じた適切なコンテンツを電子ペーパに配信することができる。
【００８９】
従って、移動体１の走行区間、時間帯、車両属性などに応じた、コンテンツ表示内容の効率的で低コストな切替処理が可能となる。
【００９０】
以上、本発明の実施の形態について、その実施の形態に基づき具体的に説明したが、これに限定されるものではなく、その要旨を逸脱しない範囲で種々変更可能である。
【図面の簡単な説明】
【００９１】
【図１】本実施形態のコンテンツ配信システムを含むネットワーク構成図である。
【図２】本実施形態におけるデータベースのデータ構造例１を示す図である。
【図３】本実施形態におけるデータベースのデータ構造例２を示す図である。
【図４】本実施形態におけるデータベースのデータ構造例３を示す図である。
【図５】本実施形態のコンテンツ配信方法における手順例１を示すフロー図である。
【図６】本実施形態のコンテンツ配信方法における手順例２を示すフロー図である。
【図７】本実施形態のコンテンツ配信方法における手順例２の具体例を示すフロー図である。
【図８】本実施形態のコンテンツ配信方法における手順例３を示すフロー図である。
【符号の説明】
【００９２】
１  移動体（車両）
１０  コンテンツ配信システム、システム
１００  コンテンツ配信サーバ
１０１、２０１  プログラムデータベース
１０２、２０２  プログラム
１０３、２０３  メモリ
１０４、２０４  ＣＰＵ
１０５  入力インターフェイス
１０６、２０５  出力インターフェイス
１０７、２０６  通信装置
１０８、２０７  Ｉ／Ｏ部
１１０  指示受付部
１１１  移動体特定部
１１２  移動予定特定部
１１３  間隔算定部
１１４  移動区間特定部
１１５  コンテンツ設定部
１１６  配信処理部
１１７  再スケジュール情報取得部
１２５  移動予定データベース
１２６  移動体データベース
１２７  コンテンツデータベース
１２８  コンテンツスケジュール情報データベース
１２９  配信スケジュールデータベース
１３０  配信コンテンツデータベース
１４０  ネットワーク
１６０  作業用記憶装置
２００  電子ペーパ
２１０  クロック機能部
２１１  無線通信部
２１２  コンテンツ記憶部
２１３  スケジュール記憶部
２１４  データ取得部
２１５  表示処理部
２１６  再アクセス指示部
２３０  表示パネル
【図１】
0004805133.tif 000002
【図２】
0004805133.tif 000003
【図３】
0004805133.tif 000004
【図４】
0004805133.tif 000005
【図５】
0004805133.tif 000006
【図６】
0004805133.tif 000007
【図７】
0004805133.tif 000008
【図８】
0004805133.tif 000009